(57)【特許請求の範囲】
【請求項１】
下腹部と十分距離が保持されるセンタープロテクター及びセンタープロテクターの左右にあるサイドプロテクターにより成形された捕手の下腹部前面を覆うプロテクターであって、プロテクターと下腹部は捕手が捕球姿勢で腰を下ろした状態、立った状態でも十分距離が保持されており、捕手用下腹部セーフティープロテクターは、互いに上下に分割されたプロテクター上部とプロテクター下部とを含み、プロテクター上部とプロテクター下部とは、ジョイント部によって連結されており、前記ジョイント部は伸縮弾性変形可能な部材で設けられていることを特徴とする捕手用下腹部セーフティープロテクター。
【請求項２】
捕手用下腹部セーフティープロテクターの上部に、身体の腰に直接又はキャッチャー用プロテクターを装着した上から、装着できる調整ベルトを設けたことを特徴とする請求項１に記載の捕手用下腹部セーフティープロテクター。
【請求項３】
調整ベルトは、身体の体格差により生じる腰回りの長さ調整機能及び、又は簡単容易に着脱できるクイックリリース機能を備えたことを特徴とする請求項２に記載の捕手用下腹部セーフティープロテクター。
【請求項４】
捕手用下腹部セーフティープロテクターの上部に、衝撃を吸収する腹部パッドを設けたことを特徴とする請求項１乃至請求項３の何れかに記載の捕手用下腹部セーフティープロテクター。
【請求項５】
サイドプロテクターに衝撃を吸収する大腿部パッドを設けたことを特徴とする請求項１乃至請求項４の何れかに記載の捕手用下腹部セーフティープロテクター。
【発明の詳細な説明】
【技術分野】
【０００１】
本発明はプロテクターに関し、詳しくは、野球やソフトボール等の球技を行う際の捕手が装着しておくプロテクターに係り、下腹部前面を覆うようにして、球技中の捕手の下腹部を有効に防護するためのプロテクターに関する。
【背景技術】
【０００２】
従来のプロテクターでは、ファールチップ等のボールから下腹部を防護するためのものは無く、防護カップ（protective cup）、男性性器防護用具では、衣服の中に装着していた。
【先行技術文献】
【特許文献】
【０００３】
【特許文献１】特表２００９−５２６９１８
【発明の概要】
【発明が解決しようとする課題】
【０００４】
従来のプロテクターでは、捕手の下腹部を防護するためのものは無く、防護カップ（protective cup）、男性性器防護用具等はあるが、衣服の中に装着しなければいけなく、サイズの不一致、蒸れ、装着のわずらわしさ、装着時の下腹部の膨らみ、違和感等があり使用を控える事がある。また練習時、捕手でない野手が代理で、捕手の守備に着いたときに、防護カップ（protective cup）、男性性器防護用具等を装着していない場合がある。衣類の中に装着するため衛生上の問題もあり、個人で準備する必要があるため経済的負担となる。  そこで、本発明は捕手の下腹部を簡単容易に保護し、プレー中のあらゆる動作の妨げにならない形状とし、安全性を高めて怪我を防止する捕手用下腹部セーフティープロテクターを提供すことを目的とする。
【課題を解決するための手段】
【０００５】
本発明は、下腹部と十分距離が保持されるセンタープロテクター及び、センタープロテクターの左右にあるサイドプロテクターを含む、捕手用下腹部セーフティープロテクターである。
【０００８】
また、捕手用下腹部セーフティープロテクターの上部に、身体の腰又はキャッチャー用プロテクターに、装着できる調整ベルトを設けた捕手用下腹部セーフティープロテクターである。
【０００９】
また、調整ベルトは、身体の体格差により生じる腰回りの長さ調整機能及び、又は簡単容易に着脱できるクイックリリース機能を備えた捕手用下腹部セーフティープロテクターである。
【００１０】
また、捕手用下腹部セーフティープロテクターの上部に、衝撃を吸収する腹部パットを設けた捕手用下腹部セーフティープロテクターである。
【００１１】
また、サイドプロテクターに衝撃を吸収する大腿部パットを設けた捕手用下腹部セーフティープロテクター。
【発明の効果】
【００１２】
本発明の捕手用下腹部セーフティープロテクターは捕手の下腹部前面、衣服の外側に簡単容易に装着できることにより、装着を促進でき安全性を高めて怪我を防止することができる。
【００１３】
捕手が捕球姿勢で腰を下ろした状態、立った状態等でも下腹部と十分距離が保持されることにより、下腹部に直撃するボールの衝撃、軌道を、吸収、規制、変化させて下腹部への接触を避けることを可能とした。
【００１４】
分割構造とすることで、一体型の捕手用下腹部セーフティープロテクターに比べ捕手がプレー中のあらゆる動作に対し追従できる。衝撃を吸収する部品が増え各部品に分散させることにより、ボールの衝撃、軌道を、吸収、規制、変化させる機能が高まる。部品自体に衝撃を吸収される機能が高まることにより、身体に加わる衝撃がさらに緩和される。更に、中空構造にすることでより衝撃をさらに吸収することができる。
【図面の簡単な説明】
【００１５】
【図１】一体型の補手用下腹部セーフティープロテクターを非装着状態で示す斜視図
【図２】分割型の補手用下腹部セーフティープロテクターを非装着状態で示す斜視図
【図３】分割中空構造の捕手用下腹部セーフティープロテクターを非装着状態で示す側面断面図。
【図４】分割型の補手用下腹部セーフティープロテクターを装着し、立った状態の正面図
【図５】分割型の補手用下腹部セーフティープロテクターを装着し、立った状態の側面図
【図６】分割型の補手用下腹部セーフティープロテクターを装着し、捕球状態の正面図
【図７】分割型の補手用下腹部セーフティープロテクターの可動範囲を示す側面図
【発明を実施するための形態】
【００１６】
本考案の実施形態を、図を参照して詳細に説明する。
【実施例】
【００１７】
図１は一体型の補手用下腹部セーフティープロテクターを非装着状態で示す斜視図である。プロテクター１は一体で剛体であり下腹部との接触を避けるためにセンタープロテクター１０が前方に突出し、センタープロテクター１０の左右両側にサイドプロテクター１１を設けた形状で、プロテクター１の上側に腹部パッド７と調整ベルト５が装着される。プロテクター１のサイドプロテクター１１の背面側に大腿部パッド６が装着される。調整ベルト５にはクイックリリース８とアジャスター９が装着され、クイックリリース８で一体型の捕手用下腹部セーフティープロテクターの着脱をし、アジャスター９で、調整ベルト５の長さを調整できる。
【００１８】
図２は分割型の補手用下腹部セーフティープロテクターを非装着状態で示す斜視図である。図１のプロテクター１をプロテクター上部２とプロテクター下部３に分割したタイプである。プロテクター上部２とプロテクター下部３を接続する為のジョイント部４を設けている。プロテクター上部２の上側に腹部パッド７と調整ベルト５が装着される。プロテクター上部２のサイドプロテクター１１の背面側に大腿部パッド６が装着されている。調整ベルト５にはクイックリリース８とアジャスター９が装着され、クイックリリース８で分割型の捕手用下腹部セーフティープロテクターの着脱をし、アジャスター９で、調整ベルト５の長さを調整できる。プロテクター下部３は、ジョイント部４を介してプロテクター上部２と一体になっており、ジョイント部４は伸縮弾性変形する部品であり、プロテクター下部３を適正な位置に保持している。又、プロテクター下部３にも中央部にセンタープロテクター２０並びにセンタープロテクター２０の左右両側にサイドプロテクター２１を設けている。
【００１９】
図３は分割型で中空構造の補手用下腹部セーフティープロテクターを非装着状態で示す側面断面図である。プロテクター上部２の上部前面３０と上部背面３１との間に空間３４を設けた。プロテクター下部３の下部前面３２と下部背面３３との間にも空間３５を設けた形状をなしている。
【００２０】
図４は分割型の補手用下腹部セーフティープロテクターを装着し、立った状態の正面図で、下腹部前面が完全に覆われている形状をなしている。
【００２１】
図５は分割型の補手用下腹部セーフティープロテクターを装着し、立った状態の側面図である。プロテクター上部２の上側の身体との接触部は衝撃を吸収する腹部パッド７を介し腹部に密着するように装着する。また調整ベルト５の長さを、アジャスター９によって調整し、体格の違う身体にも適正位置に保持される。この時、十分に下腹部との距離があることが確認できる。この距離Ｌは３０〜５５ｍｍである。
【００２２】
図６、図７は分割型の補手用下腹部セーフティープロテクターを装着した捕球姿勢の正面図、側面図である。捕球姿勢ではプロテクター上部２のサイドプロテクター１１の背面側に装着される大腿部パッド６が大腿部内側と接触する事が理解できる。両足を閉じれば閉じるほど接触面積が増え、さらに大腿部の閉じる力により、腹部パッド７を支点にプロテクター上部２が前方に押し出される。図５の立った状態での側面図よりも、下腹部とさらに空間が開くことになり、下腹部との接触をより避ける状態となる。当然両足を大きく開いた状態で大腿部が大腿部パッド６と未接触の捕球姿勢でも下腹部との距離が十分に保持された状態である。この距離Ｍは５０〜７５ｍｍである。
【００２３】
また、図７にプロテクター下部３の可動範囲（αは約７０度）を示した。プロテクター下部３が下腹部に最も接近しても距離があることが確認できる。この距離Ｘは２５〜５０ｍｍである。ジョイント部４が伸縮弾性変形することにより、プロテクター下部３が可動できる。
【符号の説明】
【００２４】
１  プロテクター
２  プロテクター上部
３  プロテクター下部
４  ジョイント部
５  調整ベルト
６  大腿部パッド
７  腹部パッド
８  クイックリリース
９  アジャスター
１０  センタープロテクター
１１  サイドプロテクター
２０  センタープロテクター
２１  サイドプロテクター
３０  上部前面
３１  上部背面
３２  下部前面
３３  下部背面
【図１】
0005966141.tif 000002
【図２】
0005966141.tif 000003
【図３】
0005966141.tif 000004
【図４】
0005966141.tif 000005
【図５】
0005966141.tif 000006
【図６】
0005966141.tif 000007
【図７】
0005966141.tif 000008